(57)【要約】【課題】  液状芳香剤を使用する芳香剤容器において、嵩張らず場所を問わず簡便に利用できるようにする。転倒、踏みつけ、落下などが起こりにくい芳香剤容器であると同時に、それが起きたときの衝撃で容器破損や液状芳香剤漏洩が容易に起こらないようにする。【解決手段】  液状芳香剤または芳香剤溶液を詰めた芳香剤容器を収納する芳香剤収納容器と、芳香剤を含湿して徐放する揮散体を備えた徐放栓からなる芳香剤容器において、芳香剤収納容器を両端をあわせてリング状にできる屈曲自在な金属螺旋管で形成する。【選択図】図１
2008023277.tif 000002
【特許請求の範囲】
【請求項１】
芳香剤溶液を含湿して徐放する揮散体を備えた徐放栓と、芳香剤溶液または芳香剤溶液を詰めた芳香剤容器を収納する芳香剤収納容器からなる芳香剤容器において、前記芳香剤収納容器を両端をあわせてリング状にできる屈曲自在な金属螺旋管で形成したことを特徴とする芳香剤容器。
【発明の詳細な説明】
【技術分野】
【０００１】  本発明は、芳香剤を徐放することを目的とする芳香剤容器に関する。
【背景技術】
【０００２】  従来、芳香剤の芳香成分を除放する芳香剤容器において、壜体状の据え置きタイプのものか、芳香剤を染み込ませたシートまたは固形芳香剤を収納した箱型の吊り下げタイプのものが使用されてきた。【０００３】  しかし、壜体状のものは体積が嵩張るので、場所をとった。さらに転倒、踏みつけなどのおそれがあるので、不安定なところや身近なところには置きにくかった。また吊り下げるタイプのものでは落下時の容器破損、芳香剤漏洩の危惧から液状の芳香剤を使用し難いという問題があった。
【発明の開示】
【発明が解決しようとする課題】
【０００４】  本発明が解決しようとする課題は、液状の芳香剤を使用する芳香剤容器において、場所をとらず、かつ場所を問わず使用できるようにし、転倒、踏みつけ、落下が起こりにくく、それらが起きたときでも容器破損や液状芳香剤漏洩が容易に起こらないようにすることである。
【課題を解決するための手段】
【０００５】  前記目的を達成するために本発明は、芳香剤溶液を含湿して徐放する揮散体を備えた徐放栓と、芳香剤溶液または芳香剤溶液を詰めた芳香剤容器を収納する芳香剤収納容器からなる芳香剤容器において、両端をあわせてリング状にできる屈曲自在な金属螺旋管で芳香剤収納容器を形成することにした。
【発明の効果】
【０００６】本発明の芳香剤容器は芳香剤の収納容器が金属螺旋管で形成されているため強度がある。このため従来のプラスチックやガラスで作られた芳香剤容器のように落下、転倒、踏みつけなどで破損することが少なく安全である。【０００７】屈曲自在なので、芳香剤収納容器の両端をあわせてリング型に開閉できる。すなわち、芳香剤収納容器を自身の係止具として、支柱や取っ手、筒状のものなどに周回させて取り付けることができる。これにより、机の脚やトイレ配管など身の回りのものを利用して、吊り下げても身近に置いてもしっかりと係止できる。【０００８】姿勢によらず立て掛けたり、寝かせたり、周回させたり、狭い隙間に置いたり、下に敷いたりして臭気発生源に密接して設置できるので、より効果的にマスキングなどの消臭効果を発揮できる。また深皿型の灰皿の底に周回させて使用した場合は、灰皿を安定させる灰皿受けとしての働きを兼ねることができる。【０００９】  芳香剤収納容器をリング型にも棒状にもできる。このため、使用、製造、運搬、販売展示の条件によって随時最適な形を選ぶことができる。【００１０】  芳香剤収納容器の口が二つあるので、二つの徐放栓すなわち揮散体を取り付けられる。このため、一つの容器で二つ同時に異なる効能を持つ芳香剤を利用できる。またアロマテラピーの用具として用いた場合、複数の香りを用いて調香できる。【００１１】外周螺旋の凹部を利用したアクセサリーの取り付けができ、素材の金属螺旋管には鍍金加工ができる。これにより、機能的な芳香剤容器としてのみならず、金属光沢を活かした高級感のある室内装飾品としての商品価値を与えることができる。すなわち、工業用機械要素としての金属螺旋管に工芸品用材としての新規用途と需要をもたらしうる。
【発明を実施するための最良の形態】
【００１１】  本発明における両端をあわせてリング状にできる屈曲自在な金属螺旋管とはフレキシブルチューブのことである。これを芳香剤収納容器とするにあたって、内部に直接芳香剤溶液を注入するときは屈曲性が柔らかな液密性のフレキシブルチューブを用い、口に徐放栓と封止栓を液密状に取り付ける。徐放栓を備えた内容器を収納して、外容器として芳香剤収納容器を使用するときは屈曲性が硬いフレキシブルチューブを用いて、芳香剤収納容器の液密性は問わないものとする。またフレキシブルチューブの中にアロマ用具を出し入れ自由に収納して、芳香剤収納容器をアロマ容器の保護容器とするときは、フレキシブルチューブの口に徐放栓を蓋として着脱可能に装着する。いずれの場合も徐放栓は揮散体を備え、この揮散体に芳香剤溶液を含湿させて芳香剤成分を徐放する。
【実施例１】
【００１２】  実施例１では芳香剤収納容器に直接、芳香剤溶液を注入するタイプについて説明する。このタイプでは液密性のフレキシブルチューブを芳香剤収納容器とする。このフレキシブルチューブの屈曲性については柔らかく、曲げても手を離すと真っ直ぐに戻るものが良い。なお、フレキシブルチューブが液密性でない場合は、ゴムチューブのような柔軟性のある防水チューブをフレキシブルチューブ内に挿着して、液洩れのないように芳香剤収納容器内部を被覆すると良い。【００１３】  芳香剤収納容器１であるフレキシブルチューブの片方の口に徐放栓２を、もう一方の口に封止栓４を取り付ける。これらの栓を取り付ける前に芳香剤収納容器にジョイント６をつける。ジョイントは側面の一部に通気孔２５が開いており、ここから芳香剤を揮散できる。ジョイントの徐放栓側には内周に環状突起２６があり、封止栓側に内周螺条２７がある。ジョイントは回転自在で芳香剤収納容器に遊嵌するが、環状突起と徐放栓側のフリンジ１１で係止され、内周螺条２７で封止栓口の外周螺子２０と螺合して芳香剤収納容器の両端を継合しリング状にすることができる。【００１４】  芳香剤収納容器の片方の口には徐放栓２を取り付けるためのブッシング３を液密状に嵌着する。ブッシングは上辺にフリンジ１１が、内面に内周螺条１２があり、底面内側には中央孔の開いたパッキン１３が付けられている。なお作業効率化のため、徐放栓をブッシングに取り付けてから芳香剤収納容器の口に嵌着しても良い。【００１４】  徐放栓は揮散体１４と取り付け螺子１６からなっている。取り付け螺子１６は頭が凹部１７になっており、下部に軸心１８が突き出ている。そして頭から軸心の先まで中央に孔１９が開いている。揮散体１４の底面には紐状の吸収材１５が付いており、この吸収材を取り付け螺子１６の中央孔１９に通して取り付けネジの凹部１７に填め込む。そしてパッキン１３の中央孔に吸収材１５と徐放栓の軸心１８を通して、取り付け螺子１６でブッシング３に螺着させて取り付ける。なお、図３の徐放栓において、吸収材の紐が途中までしか描かれていないが、実際は芳香剤収納容器と同じ程度の長さを持つようにする。吸収材は芳香剤収納容器内部に充填された芳香剤溶液に浸漬されてこれを揮散体へ吸い上げる。【００１５】  芳香剤収納容器のもう一方の口には封止栓４を取り付けるためのブッシング５を液密状に嵌着する。このブッシングは内面に内周螺条２１がある。封止栓口の外側にはジョイントを付けるための外周螺子２０が設けられている。【００１６】  封止栓４は上方につまみ２２をもった螺子で、底面にパッキン２４が取り付けられている。封止栓はつまみ２２で螺子２３を回しながらブッシングに螺着する。芳香剤溶液を注入するときは、封止栓をはずして、再度取り付けることができる。なお、封止栓、徐放栓ともに底面に接着されたパッキンで液密状に芳香剤収納容器に接着できることは言うまでもない。【００１７】  芳香剤溶液を芳香剤収納容器に注ぎ込むときは、フレキシブルチューブである芳香剤収納容器１を棒状に伸ばして、封止栓側の口から注ぎ込む。そして封止栓４をしてからリング状に曲げて、ジョイント６で橋絡して両端を継合する。このときジョイント６は継���の役割と同時に、揮散体１４を保護する役目も果たす。なお揮散体１４は芳香剤溶液を含湿できる合成樹脂などの素材でできていることは言うまでもない。【００１８】リング状にした芳香剤容器は姿勢によらず置くことができるのでラックの中にたてかけても良い。また開閉自在なので、他の物に周回させて取り付けて固定すると良い。例えば、机の脚、電気スタンド、トイレの給水管などである。こうすることで、邪魔にならないように身近に設置でき、かつ転倒、落下、踏みつけなどの事故をふせぐことができる。
【実施例２】
【００１９】  実施例２は芳香剤収納容器に芳香剤を封入した内容器を装着するタイプについて説明する。このタイプで用いる芳香剤収納容器のフレキシブルチューブは屈曲性が硬く、手で曲げたらそのままの形状になるものにする。なおこの芳香剤収納容器には直接芳香剤溶液を注入しないため、フレキシブルチューブの液密性については問わない。【００２０】  芳香剤を封入した内容器３０の口には液密状に徐放栓３２が取り付けられている。徐放栓３２はパッキン３４のついた蓋３３と、これらを液密状に貫通した吸収材３６を垂下した揮散体３５を備え、吸収材３６で内容器に詰められた芳香溶液を吸い上げて徐放する。徐放栓は通気孔３９のある蓋体３８で保護されている。内容器は外周螺子３１と芳香剤収納容器の内周螺条３７で螺着する。なお、この内容器は芳香剤収納容器の両方の口に装着して、右は消臭効果のある溶液、左は芳香作用のある溶液と、異なる効能の二つの芳香溶液を同時に用いると良い。
【実施例３】
【００２１】  実施例３はアロマテラピー用の芳香剤容器で、芳香剤収納容器であるフレキシブルチューブの口には揮散体を持つ徐放栓が蓋として着脱可能に取り付けられている。芳香剤収納容器の中には芳香溶剤が詰められたアロマ容器とスポイトが収納されている。使用にあたっては、徐放栓を外して芳香剤収納容器の中からアロマ容器とスポイトを取り出し、スポイトで芳香液を揮散体につける。徐放栓は芳香剤収納容器の両方の口についており、これによって複数の芳香液で調香することができる。なお、ガラス瓶のアロマ容器を保護するため、芳香剤収納容器内部に筒状の緩衝材を挿着するとさらに良い。【００２２】  実施例１または実施例２または実施例３のいずれの形でも本発明は、金属螺旋管特有の凹凸を利用して芳香剤収納容器に部材を取り付けることができる。ワイヤーなど結束用具を使用する場合は、凹部の溝に引っ掛けるように緊締すると良い。また、強力接着剤などで接着させる場合は凹部に接着剤を溜めて付けると良い。取り付ける部材としては、装飾品またはその取り付け具、芳香剤収納容器のすべり止め、係止具などである。【００２３】  本発明の芳香剤容器は装飾品の付加によって金属光沢を活かしたインテリアにもできるので、本発明を構成する部材をクラフトワークの素材として販売しても良い。たとえば、金属螺旋管、徐放栓をセットにした工芸用品である。
【産業上の利用可能性】
【００２４】  本発明の芳香剤容器は目立たぬように機能的に設置でき、衝撃による容器破損のおそれも少ない。このため、家庭用の芳香剤容器のみならず、公共の場に用いる業務用芳香剤容器として利用可能である。また揺れる場所でも設置できるので、自動車用芳香剤容器として商品化が可能である。さらに表面の凹凸を活かしてアクセサリーを任意に付加できるので、インテリア用品としても利用可能である。さらに本発明を構成する部材を前記インテリア製作のためのクラフト用材として商品化販売することも可能である。
【図面の簡単な説明】
【００２５】
【図１】  実施例１を示した平面図である。
【図２】  実施例１の徐放栓口を示した断面図である。
【図３】  実施例１の徐放栓を示した平面図である。
【図４】  実施例１の封止栓口を示した断面図である。
【図５】  実施例１のジョイントを示した断面図である。
【図６】  実施例２を示した断面図である。
【符号の説明】
【００２６】  １  芳香剤収納器
２  徐放栓
３  ブッシング
４  封止栓
５  ブッシング
６  ジョイント
１１  フリンジ
１２  内周螺条
１３  パッキン
１４  揮散体
１５  吸収材
１６  取り付け螺子
１７  凹部
１８  軸心
１９  中央孔
２０  外周螺子
２１  内周螺条
２２  つまみ
２３  螺子
２４  パッキン
２５  通気孔
２６  環状突起
２７  内周螺条
３０  内容器
３１  外周螺子
３２  徐放栓
３３  蓋
３４  パッキン
３５  揮散体
３６  吸収材
３７  内周螺条
３８  蓋体
３９  通気孔
【図１】
2008023277.tif 000003
【図２】
2008023277.tif 000004
【図３】
2008023277.tif 000005
【図４】
2008023277.tif 000006
【図５】
2008023277.tif 000007
【図６】
2008023277.tif 000008